(57)【要約】【課題】付属品を、その厚さによらず良好に保持できる梱包箱を提供する。【解決手段】内部を上空間(Vb)と下空間(Va)とに区分する棚部(3a3)と、内蓋として棚部(3a3)の上方で平行対向する閉位置に折り曲げ可能な内フラップ(2b)と、棚部(3a3)の閉位置にある内フラップ(2b)と対向する位置に、中間部に外方凸で折り曲げ可能な折り曲げ部(7e1)を有し棚部(3a3)に切り起こしとして先端側を一の側部(1c)に向け傾斜起立可能に形成された押さえ片(7e)と、を備えた。【選択図】図１
2019108159.tif 000002
【特許請求の範囲】
【請求項１】
内部を上空間と下空間とに区分する棚部と、
内蓋として前記棚部の上方で平行対向する閉位置に折り曲げ可能な内フラップと、
前記棚部の前記閉位置にある前記内フラップと対向する位置に、中間部に外方凸で折り曲げ可能な折り曲げ部を有し前記棚部に切り起こしとして先端側を一の側部に向け傾斜起立可能に形成された押さえ片と、
を備えた梱包箱。
【請求項２】
請求項１記載の梱包箱を用い、
前記押さえ片を、前記折り曲げ部を外方凸に折り曲げると共に先端部が閉位置にある前記内フラップの下面よりも高い位置にあるよう傾斜起立させ、
被梱包物を、前記押さえ片の前記折り曲げ部に対し根本側となる傾斜部に当接又は当接可能な状態で前記棚部に載置した状態で、前記内フラップを閉位置に閉じ前記内フラップによって前記押さえ片を下方に付勢することで、前記傾斜部と、前記棚部及び前記一の側部と、の間に前記被梱包物を保持することを特徴とする梱包方法。
【請求項３】
請求項１記載の梱包箱を用い、
前記押さえ片を、前記折り曲げ部を外方凸に折り曲げると共に閉位置にある前記内フラップの下面よりも高い位置にあるよう傾斜起立させ、
被梱包物を、前記押さえ片の前記折り曲げ部に対し先端側となる先端側部と前記棚部との間に入れた状態で、前記内フラップを閉位置に閉じ前記内フラップによって前記押さえ片を下方に付勢することで、前記先端側部と前記棚部との間に前記被梱包物を保持することを特徴とする梱包方法。
【請求項４】
前記押さえ片は、前記折り曲げ部よりも先端側に外方凸に折り曲げ可能な第２の折り曲げ部を有していることを特徴とする請求項１記載の梱包箱。
【請求項５】
請求項４記載の梱包箱を用い、
前記押さえ片を、前記折り曲げ部を外方凸に折り曲げると共に、前記第２の折り曲げ部を、その先端側であるサポート片が先端に向かうに従って前記押さえ片の根本に近づくよう外方凸に折り曲げる一方、前記第２の折り曲げ部が閉位置にある前記内フラップの下面よりも高い位置にあるよう傾斜起立させ、
被梱包物を、前記押さえ片の前記折り曲げ部に対し根本側となる傾斜部に当接又は当接可能な状態で前記棚部に載置した状態で、前記内フラップを閉位置に閉じ前記内フラップによって前記押さえ片を下方に付勢することで、前記傾斜部及び前記サポート片と、前記棚部及び前記一の側部と、の間に前記被梱包物を保持することを特徴とする梱包方法。
【請求項６】
請求項４記載の梱包箱を用い、
前記押さえ片を、前記折り曲げ部を外方凸に折り曲げると共に、前記第２の折り曲げ部を、その先端側であるサポート片が先端に向かうに従って前記押さえ片の根本に近づくよう外方凸に折り曲げる一方、前記折り曲げ部が閉位置にある前記内フラップの下面よりも高い位置にあるよう傾斜起立させ、
被梱包物を、前記サポート片と前記棚部との間に入れた状態で、前記内フラップを閉位置に閉じ前記内フラップによって前記押さえ片を下方に付勢することで、前記サポート片と前記棚部との間に前記被梱包物を保持することを特徴とする梱包方法。
【請求項７】
前記棚部の、閉位置にある前記内フラップに対向する位置に、中間部に外方凸で折り曲げ可能な第３の折り曲げ部を有し前記棚部に切り起こしとして先端側を前記一の側部に隣接接続した他の側部に向け傾斜起立可能に形成された第２の押さえ片を有することを特徴とする請求項１又は請求項４記載の梱包箱。
【発明の詳細な説明】
【技術分野】
【０００１】
本発明は、梱包箱及び梱包方法に係る。
【背景技術】
【０００２】
製品と共に付属品を同梱できる構造を有する梱包箱が知られており、例として特許文献１に記載された梱包箱がある。
特許文献１に記載された梱包箱は、付属品としての取扱説明書を挟み込んで固定するために、箱に設けられた一組の観音開き型の内フラップそれぞれにスリット部分が形成されている。
【先行技術文献】
【特許文献】
【０００３】
【特許文献１】特開２００２−２７４５２７号公報
【発明の概要】
【発明が解決しようとする課題】
【０００４】
特許文献１に記載された梱包箱のスリット部分の構造によれば、取扱説明書が薄い場合に挟み込み可能であるものの、厚い場合には挟み込みが難しくなる。また、取扱説明書は、商品の仕様や仕向国により、厚さや同梱する冊数が様々であって取扱説明書全体の厚さ（高さ）が異なるのが一般的である。特許文献１に記載された箱は、このような様々な厚さの取扱説明書を保持することができず、改善の余地があった。
また、付属品が冊子ではなく扁平の個装箱の場合も同様である。
【０００５】
そこで、本発明が解決しようとする課題は、付属品を、その厚さによらず良好に保持できる梱包箱及び梱包方法を提供することにある。
【課題を解決するための手段】
【０００６】
上記の課題を解決するために、本発明は次の１）〜２）の構成、手順を有する。
１）  内部を上空間と下空間とに区分する棚板と、
内蓋として前記棚板の上方で平行対向する閉位置に折り曲げ可能な内フラップと、
前記棚板の前記閉位置にある前記内フラップと対向する位置に、中間部に外方凸で折り曲げ可能な折り曲げ部を有し前記棚板に切り起こしとして先端側を一の側部に向け傾斜起立可能に形成された押さえ片と、
を備えた梱包箱である。
２）  １）に記載の梱包箱を用い、
前記押さえ片を、前記折り曲げ部を外方凸に折り曲げると共に先端部が閉位置にある前記内フラップの下面よりも高い位置にあるよう傾斜起立させ、
被梱包物を、前記押さえ片の前記折り曲げ部に対し根本側となる傾斜部に当接又は当接可能な状態で前記棚板に載置した状態で、前記内フラップを閉位置に閉じ前記内フラップによって前記押さえ片を下方に付勢することで、前記傾斜部と、前記棚板及び前記一の側部と、の間に前記被梱包物を保持することを特徴とする梱包方法である。
【発明の効果】
【０００７】
本発明によれば、付属品を、その厚さによらず良好に保持できる。
【図面の簡単な説明】
【０００８】
【図１】図１は、本発明の実施の形態に係る梱包箱の実施例１である箱５１を示す斜視図である。
【図２】図２は、図１におけるＳ２−Ｓ２位置での断面図である。
【図３】図３は、箱５１における付属品の第１の保持態様を示す部分断面図である。
【図４】図４は、箱５１における付属品の第２の保持態様を示す部分断面図である。
【図５】図５は、箱５１における付属品の第３の保持態様を示す部分断面図である。
【図６】図６は、本発明の実施の形態に係る梱包箱の実施例２である箱５２における付属品の第１の保持態様を示す部分断面図である。
【図７】図７は、箱５２における付属品の第２の保持態様を示す部分断面図である。
【図８】図８は、箱５２における付属品の第３の保持態様を示す部分断面図である。
【図９】図９は、箱５２における付属品の保持態様を説明するための部分断面図である。
【図１０】図１０は、箱５１の変形例を示す部分断面図である。
【図１１】図１１は、箱５１の変形例における付属品の保持態様を示す部分断面図である。
【図１２】図１２は、箱５２の変形例を示す部分断面図である。
【図１３】図１３は、箱５２の変形例における付属品の保持態様を示す部分断面図である。
【図１４】図１４は、箱５１の他の変形例を示す斜視図である。
【発明を実施するための形態】
【０００９】
本発明の実施の形態に係る梱包箱を、実施例１及び実施例２の箱５１及び箱５１Ｂにより説明する。
【００１０】
（実施例１）
図１は、実施例１の箱５１の封緘前の開状態を示す斜視図である。説明の便宜上、左右上下前後の各方向を、図１に示された矢印で規定する。
箱５１は、いわゆるＢ式底組タイプの段ボール箱であり、材質は、例えばＥフルートである。
【００１１】
箱５１は、図１に示されるように、前面部１ａ，右側面部１ｂ，後面部１ｃ，及び左側面部１ｄの4つの側部を有し、例えば左側面部１ｄと前面部１ａとを繋ぐ角部において、のりしろでの糊付けにより枠組されている。
底部１ｅは、各側面の下部に接続形成された四方の底フラップが組み合わされて形成される。
右側面部１ｂ及び左側面部１ｄの上部には、それぞれ右内フラップ２ｂ及び左内フラップ２ｄが接続形成されている。
後面部１ｃの上部には、外フラップである蓋２ｃが接続形成されている。
【００１２】
前面部１ａの上部には、箱５１の内部を上下に区分する棚壁部３ａが接続形成されている。棚壁部３ａは、矢印ＦＬ方向がフルート方向とされる。
図１及び図１のＳ２−Ｓ２位置での断面図である図２は、棚壁部３ａが、所定手順で折り曲げた使用状態で示されている。
【００１３】
棚壁部３ａは、使用状態において、前面部１ａ側から、底部１ｅの下面からの基準高さＨａ位置で後方に延びる基準面部３ａ１と、基準面部３ａ１の後部に接続し所定の深さで下方に延びる段部３ａ２と、段部３ａ２の下端から水平に後方に向け延びる棚部３ａ３と、棚部３ａ３の後端から上方に延びる突き当て部３ａ４と、を有する。
棚壁部３ａは、突き当て部３ａ４が後面部１ｃの内面をわずかに後方へ押圧するように寸法設定されている。
【００１４】
棚部３ａ３により、箱５１の内部の空間は、上下に分割される。
下側の空間である下空間Ｖａには、製品を内部に梱包した梱包材Ｐａが収容される。製品は、例えばビデオカメラである。
棚壁部３ａは、梱包材Ｐａの上部に当接することで上下方向の位置が決められる。すなわち、棚壁部３ａの棚部３ａ３の上面３ａ３ａの高さ位置が、基準高さＨａよりも高さＨｂだけ低い位置で決められる。
上側の空間である上空間Ｖｂには、被梱包物としての付属品６１が収容される。付属品６１は、例えば、取扱説明書などの冊子、接続ケーブル、電源アダプタなどである。
【００１５】
棚部３ａ３には、図１に示されるように、左方側から、覗き孔５ａ，左係合スリット５ｂ，右係合スリット５ｃ，及び押さえ片部７が形成されている。
覗き孔５ａは、棚壁部３ａの使用状態で、下空間Ｖａに梱包材Ｐａが収容されているか否かを視認判別するための開口である。
左係合スリット５ｂには、左内フラップ２ｄを折り曲げた際に、その先端から突出した係合片２ｄ１の一部である係合凸片２ｄ２が係合する（矢印ＤＲ１）。この係合により、係合片２ｄ１が上下に起立した支持壁となり、左内フラップ２ｄを水平姿勢で維持する。
同様に、右係合スリット５ｃは、右内フラップ２ｂを折り曲げた際に、その先端から突出した係合片２ｂ１の一部である係合凸片２ｂ２が係合する（矢印ＤＲ２）。これにより、係合片２ｂ１が上下に起立したの支持壁となり、右内フラップ２ｂを水平姿勢で維持する。
【００１６】
左内フラップ２ｄ及び右内フラップ２ｂを折り曲げて水平姿勢とした状態とし、さらに蓋２ｃを折り曲げて（矢印ＤＲ３）、係合部２ｃ１を前面部１ａの上部に形成した蓋係合部１ａ１と係合させる。この係合により、蓋２ｃは閉じた状態で維持される。係合部２ｃ１と蓋係合部１ａ１との係合構造は、Ｂ式などの一般型の段ボール箱における周知の構造を用いることができる。
【００１７】
図２では、右内フラップ２ｂ及び蓋２ｃの閉状態が、鎖線で示されている。すなわち、右内フラップ２ｂは、棚壁部３ａの基準面部３ａ１の上面に当接して水平姿勢となり、蓋２ｃは右内フラップ２ｂの上に重なった水平状態となる。
【００１８】
押さえ片部７は、棚部３ａ３に形成された左右後のコ字状の切り込み７ｄ，７ｃ，７ｂと、切り込み７ｄ，７ｃ，７ｂにおいて棚部３ａ３と分離され前方側が接続部７ａとして棚部３ａ３に連結した押さえ片７ｅを有する。切り込み７ｄ，７ｂは前後方向、切り込み７ｃは左右方向とされる。
すなわち、押さえ片７ｅは、棚部３ａ３に対して接続部７ａから先の部分を起立させることができる。
図１及び図２では、押さえ片７ｅを使用前状態に指などで起こした状態が示されている。
【００１９】
接続部７ａには、部分的にスリット７ａ１が形成されている。これにより、押さえ片７ｅは、指等により接続部７ａを容易に折り曲げて傾斜起立させることができる。
また、スリット７ａ１を形成することで、接続部７ａは、押さえ片７ｅを折り曲げて傾斜起立させた後、その傾斜角度で自立的に起立が維持されるものの、外力の付与により容易に傾斜角度が変わる程度に剛性が低下している。
【００２０】
押さえ片７ｅには、前後方向の中央部に、折り曲げ剛性が低く容易に折り曲げ可能な折り曲げ部７ｅ１が、半押しなどによって形成されている。
押さえ片７ｅを傾斜起立させる際には、折り曲げ部７ｅ１において外方凸となるようにわずかに屈曲させておくとよい。
【００２１】
押さえ片７ｅにおいて、接続部７ａから折り曲げ部７ｅ１までの部分を、基部７ｅ２とし、折り曲げ部７ｅ１から先端までの部分を先端側部７ｅ３とする。
押さえ片７ｅは、使用前の、右内フラップ２ｂが開状態として付属品を収める前に、予め傾斜起立させておく。傾斜角度である角度θａは、９０°未満とする。
この傾斜起立姿勢において、折り曲げ部７ｅ１は外方凸すなわち上側凸となり、先端側部７ｅ３が先端ほど高い位置にあり、かつ先端７ｅ３ａの高さ位置が、基準高さＨａよりも上方に位置している。また、押さえ片７ｅとしては、先端側が箱５１の後面部１ｃに向け傾斜起立した状態となる。
【００２２】
押さえ片部７は、押さえ片７ｅと、棚壁部３ａの突き当て部３ａ４と、の間に付属品（例えば冊子６１）を収めるために設けられる。
具体的には、冊子６１を、押さえ片７ｅの基部７ｅ２と突き当て部３ａ４との間で前後方向に挟み、かつ押さえ片７ｅの基部７ｅ２と棚部３ａ３との間で上下方向に挟むように形成される。
【００２３】
冊子６１を収容する場合は、図１及び図２に示されるように、冊子６１を後端を突き当て部３ａ４に当て、前端を押さえ片７ｅの内側に差し込んで棚部３ａ３上に載せる。
次に、右内フラップ２ｂを折り曲げて係合凸片２ｂ２を右係合スリット５ｃに係合させる。これにより右内フラップ２ｂが水平姿勢になる。
次いで、蓋２ｃを折り曲げ、係合部２ｃ１と蓋係合部１ａ１とを係合させて水平姿勢にて閉じる。
【００２４】
ここで押さえ片７ｅの先端側部７ｅ３の少なくとも先端７ｅ３ａが基準高さＨａより上方にあることから、押さえ片７ｅは右内フラップ２ｂによって下方に押され、棚部３ａ３側に傾けられる（矢印ＤＲ４）。
図３は、このように押さえ片７ｅが右内フラップ２ｂによって押された状態を示す部分断面図である。
図３に示されるように、基部７ｅ２は冊子６１における前上の角部６１ａに当接し、冊子６１は基部７ｅ２によって斜め下後ろ方への力Ｆａで付勢される。
すなわち、冊子６１は、力Ｆａの前後方向分力によって突き当て部３ａ４を後方に付勢し、力Ｆａの上下方向分力によって棚部３ａ３を下方に付勢する。
このようにして、冊子６１は、棚部３ａ３上において押さえ片７ｅと突き当て部３ａ４との間に保持される。
【００２５】
上述のように、冊子６１は、上前の角部６１ａが押さえ片７ｅの基部７ｅ２に当接するものであれば、厚さによらず同様に保持される。
図４は、冊子６１の厚さが、図３で説明した冊子６１よりも厚い場合の保持態様を示している。
冊子６１の厚さが厚くなるほど、基部７ｅ２の傾斜角度θｃが図３における傾斜角度θｂより大きくなるものの、冊子６１は、良好に保持される。
【００２６】
図５は、冊子６１が、箱５１で保持できる最大厚さの場合の保持態様を示した部分断面図である。
この場合、押さえ片７ｅの先端側部７ｅ３が冊子６１に密着して冊子６１と右内フラップ２ｂとの間に挟まった状態となる。
また、この状態で、基部７ｅ２の傾斜角度θｄは、図４で説明した傾斜角度θｃよりも大きく９０°により近くなっている。
【００２７】
以上の構造から、付属品は冊子６１に限定されるものではないことは明らかであり、箱５１において、付属品は、概ね箱状のものであれば押さえ片部７によって上空間Ｖｂ内に保持可能である。
【００２８】
以上詳述したように、実施例１の箱５１は、右内フラップ２ｂを閉じることで押さえ片７ｅが下方に押され、その押さえ片７ｅの傾斜した基部７ｅ２が付属品（例えば冊子６１）の前上の角部６１ａを斜め下方に付勢する。そのため、箱５１は、冊子６１を、押さえ片７ｅと突き当て部３ａ４との間、及び押さえ片７ｅと棚部３ａ３との間に挟んで保持できる。
これにより、箱５１は、冊子６１を、その前上の角部６１ａが基部７ｅ２に当接する限り、その厚さによらず、押さえ片部７，棚部３ａ３，及び突き当て部３ａ４の間に良好に保持できる。
【００２９】
（実施例２）
実施例２は、箱５１の押さえ片部７を押さえ片部７Ｂに置き換えた箱５１Ｂである。すなわち、箱５１Ｂは、箱５１に対し、押さえ片部７Ｂの押さえ片７Ｂｅのみ異なる。
図６は、箱５１Ｂの押さえ片部７Ｂにより付属品としての冊子６１を保持した状態を示す部分断面図であり、図３に対応する図である。
【００３０】
押さえ片７Ｂｅは、使用前状態において、図６に鎖線で示されるように、折り曲げ部７Ｂｅ１が基準高さＨａよりも上方に位置するように傾斜起立される。
その状態で右内フラップ２ｂ及び蓋２ｃを閉じると、右内フラップ２ｂが折り曲げ部７Ｂｅ１を下方に押し下げる。
これにより、先端側部７Ｂｅ３が冊子６１の上面６１ｂを上から押し付けるので冊子６１は保持される。
【００３１】
図７は、冊子６１の厚さが、図６で説明した冊子６１よりも厚い場合の保持態様を示した部分断面図である。
冊子６１の厚さが厚くなるほど、先端側部７Ｂｅ３の、水平に対する傾斜角度θｅが図６における傾斜角度θｇより小さくなるものの、冊子６１は、その上面６１ｂが先端側部７Ｂｅ３によって下方に押し付けられて保持される。
【００３２】
図８は、冊子６１が、箱５１Ｂで保持できる最大厚さの場合の保持態様を示した部分断面図である。
この場合、箱５１と同様に、押さえ片７Ｂｅの先端側部７Ｂｅ３が冊子６１に密着して冊子６１と右内フラップ２ｂとの間に挟まった状態となる。
また、図６〜図８に示されるように、冊子６１のいずれの厚さにおいても、基部７Ｂｅ２の傾斜角度θｆは、一定となる。
【００３３】
箱５１Ｂでは、基部７Ｂｅ２に冊子６１の前上の角部６１ａは必ずしも当接しない。そのため、冊子６１の前後方向の長さが異なる場合でも、若干の前後動が生じる場合もあり得るが保持可能である。
また、箱５１Ｂを前側が低くなるように傾斜させた場合などにおいて、図９に示されるように、冊子６１が前方に移動して前上の角部６１ａが基部７Ｂｅ２を前方に付勢する（矢印ＤＲ５）場合があり得る。この場合でも、折り曲げ部７Ｂｅ１が右内フラップ２ｂにしっかり押さえられて基部７Ｂｅ２の移動が規制されるので、冊子６１の移動も規制され、冊子６１は、上空間Ｖｂ内において若干の前後の移動が許容されつつしっかりと保持される。
【００３４】
以上の構造から、付属品は冊子６１に限定されるものではないことは明らかであり、箱５１Ｂにおいて、付属品は、押さえ片部７Ｂの先端側部７Ｂｅ３によって下方へ押し付けることができるものであれば、形状を問わず上空間Ｖｂ内に保持可能である。
【００３５】
以上詳述したように、実施例２の箱５１Ｂは、上方凸とされた折り曲げ部７Ｂｅ１が右内フラップ２ｂを閉じることで下方に押され、先端側部７Ｂｅ３が付属品６１の上面６１ｂを下方に押し付ける。そのため、箱５１Ｂは、冊子６１を、押さえ辺７Ｂｅと棚部３ａ３との間に挟んで保持できる。
【００３６】
以上詳述した実施例は、上述の構成に限定されるものではなく、本発明の要旨を逸脱しない範囲において変形した変形例としてもよい。
【００３７】
実施例１，２の押さえ片７ｅ，７Ｂｅは、それぞれの先端７ｅ３ａ，７Ｂｅ３ａからさらに突出した折り曲げ部分として、サポート片７１ｆ，７１Ｂｆを有する押さえ片７１ｅ，７１Ｂｅに変形してもよい。
これらについて、図１０〜図１３を参照して説明する。
【００３８】
図１０は、実施例１における押さえ７ｅの変形例である押さえ片７１ｅを示す部分断面図である。
押さえ片７１ｅは、使用前に、先端７ｅ３ａを含む一部分が基準高さ位置Ｈａよりも上方に位置し、サポート片７１ｆが、その先端が下前方に向かうように折り曲げた状態とされる。
図１１は、押さえ片７１ｅによって冊子６１を保持した状態を示す部分断面図である。
図１１に示されるように、冊子６１は、基部７ｅ２から前上の角部６１ａに力Ｆａを受けるのみならず、上面６１ｂに対し、サポート片７１ｆからもその折り曲げの反発力による力Ｆｂを受ける。そのため、冊子６１はより確実に保持される。
【００３９】
図１２は、実施例２における押さえ片７Ｂｅの変形例である押さえ片７１Ｂｅを示す部分断面図である。
押さえ片７１Ｂｅは、使用前に、折り曲げ部７Ｂｅ１を含む一部分が基準高さ位置Ｈａよりも上方に位置し、サポート片７１Ｂｆが、その先端が下前方に向かうように折り曲げた状態とされる。
図１３は、押さえ片７１Ｂｅによって冊子６１を保持した状態を示す部分断面図である。
図１３に示されるように、冊子６１は、上面６１ｂに対し、サポート片７１Ｂｆから、その折り曲げの反発力と、折り曲げ部７Ｂｅ１が右内フラップ２ｂから押さえられて生じた元々の力と、の合力である力Ｆｃを受ける。そのため、冊子６１はより確実に保持される。
【００４０】
また、箱５１，５１Ｂは、それぞれの押さえ片部７，７Ｂに加えて、冊子６１を右側面部１ｂとの間で左右方向の位置規制をするための横押さえ片部８，８Ｂを備えた変形例の箱５１１，５１１Ｂとしてもよい。
図１４は、代表として、箱５１１を示した部分斜視図であり、図１の押さえ片部７とその近傍に対応する図である。
【００４１】
図１４に示されるように、箱５１１は、棚壁部３ａの棚部３ａ３において、冊子６１の左端に対応する位置に、押さえ片部７と同様構造の横押さえ片部８を、押さえ片部７と直交する方向に備えている。すなわち、横押さえ片部８の押さえ片８ｅは、先端側が後面部１ｃに隣接接続する右側面部１ｂに向け傾斜起立した状態となる。
これにより、冊子６１は、前端と左端とがそれぞれ押さえ片部７と押さえ片部８とで押さえられて突き当て部３ａ４と右側面部１ｂとの間で保持される。
箱５１１Ｂについても同様であり、横押さえ片部８Ｂが押さえ片部７Ｂと直交する方向に備えられ、冊子６１の前端と左端とを押さえる。
そのため、箱５１１，５１１Ｂにおいて、冊子６１は、前後方向及び左右方向の両方向で位置規制され、より良好に保持される。
【符号の説明】
【００４２】
１ａ  前面部
１ａ１  蓋係合部
１ｂ  右側面部
１ｃ  後面部
１ｄ  左側面部
１ｅ  底部
２ｂ  右内フラップ
２ｂ１  係合片
２ｂ２  係合凸片
２ｃ  蓋
２ｃ１  係合部
２ｄ  左内フラップ
２ｄ１  係合片
２ｄ２  係合凸片
３ａ  棚壁部
３ａ１  基準面部
３ａ２  段部
３ａ３  棚部
３ａ３ａ  上面
３ａ４  突き当て部
５ａ  覗き孔
５ｂ  左係合スリット
５ｃ  右係合スリット
７，７Ｂ  押さえ片部
７ａ  接続部
７ａ１  スリット
７ｂ，７ｃ，７ｄ  切り込み
７ｅ  ，７Ｂｅ  押さえ片
７ｅ１，７Ｂｅ１  折り曲げ部
７ｅ２，７Ｂｅ２  基部
７ｅ３，７Ｂｅ３  先端側部
７ｅ３ａ，７Ｂｅ３ａ  先端
８，８Ｂ  横押さえ片部
５１，５１Ｂ，５１１，５１１Ｂ  箱（梱包箱）
６１  冊子（付属品）
６１ａ  （前上の）角部
６１ｂ  上面
７１ｅ，７１Ｂｅ  押さえ片
７１Ｂｅ１  折り曲げ部
７１ｆ，７１Ｂｆ  サポート片
Ｆａ，Ｆｂ，Ｆｃ  力
ＦＬ  フルート方向
Ｈａ  基準高さ
Ｈｂ  高さ
Ｐａ  梱包材
Ｖａ  下空間
Ｖｂ  上空間
θａ，θｂ，θｃ，θｄ，θｅ，θｆ，θｇ  傾斜角度
【図１】
2019108159.tif 000003
【図２】
2019108159.tif 000004
【図３】
2019108159.tif 000005
【図４】
2019108159.tif 000006
【図５】
2019108159.tif 000007
【図６】
2019108159.tif 000008
【図７】
2019108159.tif 000009
【図８】
2019108159.tif 000010
【図９】
2019108159.tif 000011
【図１０】
2019108159.tif 000012
【図１１】
2019108159.tif 000013
【図１２】
2019108159.tif 000014
【図１３】
2019108159.tif 000015
【図１４】
2019108159.tif 000016